(57)【要約】【課題】本発明はマッサージ機能を有する車用背もたれクッションを開示した。【解決手段】背もたれとネックパッドを含み、前記背もたれの頂端には支持柱が固定的に設置され、前記支持柱の頂端には枕が固定的に設置され、前記背もたれの左右両側には面ファスナー付きベルトが固定的に設置され、前記ネットパックが前記支持柱に装着され、前記ネットパックの中には第一空チャンバが設置され、前記第一空チャンバの中には肩を揉める第一マッサージ機構が設置され、前記第一空チャンバの底壁には左右に対称的な抜き穴が設置され、前記ネックパッドの後側には左右に対称的な固定板が固定的に設置され、前記固定板の底端には引掛り板が固定的に設置され、前記引掛り板の前側には曲がり溝が設置されている。【選択図】図３
2020171630.tif 000002
【特許請求の範囲】
【請求項１】
背もたれとネックパッドを含み、前記背もたれの頂端には支持柱が固定的に設置され、前記支持柱の頂端には枕が固定的に設置され、前記背もたれの左右両側には面ファスナー付きベルトが固定的に設置され、前記ネットパックが前記支持柱に装着され、前記ネットパックの中には第一空チャンバが設置され、前記第一空チャンバの中には肩を揉める第一マッサージ機構が設置され、前記第一空チャンバの底壁には左右に対称的な抜き穴が設置され、前記ネックパッドの後側には左右に対称的な固定板が固定的に設置され、前記固定板の底端には引掛り板が固定的に設置され、前記引掛り板の前側には曲がり溝が設置され、前記曲がり溝によって使用者のもたれ心地を快適にさせることができ、前記曲がり溝が前記背もたれに引掛り、二組の前記固定板の間には帯が設置され、前記帯が前記ベックパッドの後端とヒンジで連結され、前記帯が前記支持柱に締められ、前記背もたれの中には第二空チャンバが設置され、前記第二空チャンバの中には腰や背を揉める第二マッサージ機構が設置されているることを特徴とするマッサージ機能を有する車用背もたれクッション。
【請求項２】
前記第一マッサージ機構は前記第一空チャンバの頂壁の中に設置される動力チャンバを含み、前記動力チャンバが左右に対称的に二組設置され、二組の前記動力チャンバの間には動力軸が回転可能に設置され、前記動力軸の右端と右側の前記動力チャンバの右壁の中に固定的に嵌められる第一電動機とが伝動可能に連結され、前記動力軸の外周には前記動力チャンバの中に位置する動力傘歯車が固定的に設置され、前記第一空チャンバの左右両側端壁にはいずれもスライド溝が設置され、前記スライド溝の中にはスライドブロックがスライド可能に設置され、前記スライド溝と前記動力チャンバとの間にはボルトが回転可能に設置され、前記ボルトの頂端には前記動力チャンバの中に位置する従動傘歯車が固定的に設置され、前記従動傘歯車が前記動力傘歯車と噛み合って設置され、前記ボルトが前記スライドブロックを貫通しており且つ前記スライドブロックとネジ山によって係合連結され、前記ボルトの底端と前記スライド溝の底壁とが回転可能に係合連結されている；第一電動機の反対する二つの方向への回転を制御することによって、動力軸を回転させ、更に動力傘歯車に従動傘歯車を回転連動させ、更にボルトを回転させ、ボルトがスライドブロックを連動させて上下にスライドさせることを特徴とする請求項１に記載のマッサージ機能を有する車用背もたれクッション。
【請求項３】
二組の前記スライドブロックの間には横軸が回転可能に設置され、前記横軸の外周には二組の相互に対称する第一傘歯車が固定的に設置され、前記第一空チャンバの底壁の中には第二電動機が固定的に嵌められ、前記第二電動機の頂端には第二傘歯車が伝動可能に連結され、前記第二傘歯車と左右両側の前記第一傘歯車とが間欠的に噛み合って係合され、前記第一空チャンバの中には二組のロングスライドブロックがスライド可能に設置され、前記ロングスライドブロックの中には第一ベルトチャンバが設置され、前記横軸が前記第一ベルトチャンバを貫通しており、前記横軸と前記ロングスライドブロックとが回転可能に係合連結され、前記第一ベルトチャンバの中に位置する前記横軸の外周には動力プーリが固定的に設置され、前記第一ベルトチャンバの中には従動軸が回転可能に設置され、前記従動軸の外周には従動プーリが固定的に設置され、前記従動プーリと前記動力プーリとが第一ベルトによって伝動可能に連結され、前記ロングスライドブロックの左右両側端面にはいずれも支持板が回転可能に設置され、前記支持板と前記従動軸とが固定的に連結され、前記支持板の底端にはマッサージハンドが固定的に設置され、前記マッサージハンドの底部端面には凸起が固定的に設置されている；前記第二電動機の回転を制御することで、第二傘歯車を回転させ、更に第二傘歯車を間欠的に左右両側の第一傘歯車と噛み合わせ、横軸を反対する二つの方向に回転させ、横軸が動力プーリを回転連動させ、従動プーリを回転させ、従動プーリが従動軸を回転連動させ、支持板を揺動させ、支持板がマッサージハンドを揺動連動させ、これによりマッサージハンドに肩を揉ませることを特徴とする請求項２に記載のマッサージ機能を有する車用背もたれクッション。
【請求項４】
前記第二マッサージ機構は前記第二空チャンバの中に回転可能に設置される第一プーリを含み、前記第一プーリの底部の前記第二空チャンバの中には第二プーリが回転可能に設置され、前記第二プーリの左側端面には第三傘歯車が固定的に設置され、前記第一プーリと前記第二プーリとが第二ベルトによって伝動可能に連結され、前記第二ベルトには二つの押しブロックが同じように設置され、前記第二空チャンバの後側端壁には第三電動機が固定的に設置され、前記第三電動機の前端には第四傘歯車が伝動可能に連結され、前記第四傘歯車と前記第三傘歯車とが噛み合って設置され、前記第二空チャンバの前側端壁の中にはロングスライド板がスライド可能に設置され、前記ロングスライド板の前側端にはゴム玉が固定的に設置され、前記ゴム玉は柔軟材料で作られる；第三電動機の作動を制御することによって、第四傘歯車に第三傘歯車を回転連動させ、第三傘歯車が第二プーリを回転連動させ、更に第一プーリを回転連動させ、押しブロックを順次にロングスライド板を押圧させ、更にゴム玉を前にスライドさせ、使用者の背を揉むことを特徴とする請求項１に記載のマッサージ機能を有する車用背もたれクッション。
【発明の詳細な説明】
【技術分野】
【０００１】
本発明はクッション技術分野に関し、具体的にはマッサージ機能を有する車用背もたれクッションである。
【背景技術】
【０００２】
運転手は長時間で運転すると、疲労感が生じ、腰や肩に痛みを感じ、運転に影響を及ぼし、そのため、マッサージ機能を有する車用背もたれクッションを設計して運転手の疲労を解消することが実に必要である。
【先行技術文献】
【特許文献】
【０００３】
【特許文献１】中国特許出願公開第１０９４２１５７２号明細書
【発明の概要】
【発明が解決しようとする課題】
【０００４】
本発明の目的はマッサージ機能を有する車用背もたれクッションを提供し、既存の技術にある上記の欠陥を補うことにある。
【課題を解決するための手段】
【０００５】
本発明のマッサージ機能を有する車用背もたれクッションは、背もたれとネックパッドを含み、前記背もたれの頂端には支持柱が固定的に設置され、前記支持柱の頂端には枕が固定的に設置され、前記背もたれの左右両側には面ファスナー付きベルトが固定的に設置され、前記ネットパックが前記支持柱に装着され、前記ネットパックの中には第一空チャンバが設置され、前記第一空チャンバの中には肩を揉める第一マッサージ機構が設置され、前記第一空チャンバの底壁には左右に対称的な抜き穴が設置され、前記ネックパッドの後側には左右に対称的な固定板が固定的に設置され、前記固定板の底端には引掛り板が固定的に設置され、前記引掛り板の前側には曲がり溝が設置され、前記曲がり溝によって使用者のもたれ心地を快適にさせることができ、前記曲がり溝が前記背もたれに引掛り、二組の前記固定板の間には帯が設置され、前記帯が前記ベックパッドの後端とヒンジで連結され、前記帯が前記支持柱に締められ、前記背もたれの中には第二空チャンバが設置され、前記第二空チャンバの中には腰や背を揉める第二マッサージ機構が設置されている。
【０００６】
さらなる技術プラントして、前記第一マッサージ機構は前記第一空チャンバの頂壁の中に設置される動力チャンバを含み、前記動力チャンバが左右に対称的に二組設置され、二組の前記動力チャンバの間には動力軸が回転可能に設置され、前記動力軸の右端と右側の前記動力チャンバの右壁の中に固定的に嵌められる第一電動機とが伝動可能に連結され、前記動力軸の外周には前記動力チャンバの中に位置する動力傘歯車が固定的に設置され、前記第一空チャンバの左右両側端壁にはいずれもスライド溝が設置され、前記スライド溝の中にはスライドブロックがスライド可能に設置され、前記スライド溝と前記動力チャンバとの間にはボルトが回転可能に設置され、前記ボルトの頂端には前記動力チャンバの中に位置する従動傘歯車が固定的に設置され、前記従動傘歯車が前記動力傘歯車と噛み合って設置され、前記ボルトが前記スライドブロックを貫通しており且つ前記スライドブロックとネジ山によって係合連結され、前記ボルトの底端と前記スライド溝の底壁とが回転可能に係合連結されている；第一電動機の反対する二つの方向への回転を制御することによって、動力軸を回転させ、更に動力傘歯車に従動傘歯車を回転連動させ、更にボルトを回転させ、ボルトがスライドブロックを連動させて上下にスライドさせる。
【０００７】
さらなる技術プラントして、二組の前記スライドブロックの間には横軸が回転可能に設置され、前記横軸の外周には二組の相互に対称する第一傘歯車が固定的に設置され、前記第一空チャンバの底壁の中には第二電動機が固定的に嵌められ、前記第二電動機の頂端には第二傘歯車が伝動可能に連結され、前記第二傘歯車と左右両側の前記第一傘歯車とが間欠的に噛み合って係合され、前記第一空チャンバの中には二組のロングスライドブロックがスライド可能に設置され、前記ロングスライドブロックの中には第一ベルトチャンバが設置され、前記横軸が前記第一ベルトチャンバを貫通しており、前記横軸と前記ロングスライドブロックとが回転可能に係合連結され、前記第一ベルトチャンバの中に位置する前記横軸の外周には動力プーリが固定的に設置され、前記第一ベルトチャンバの中には従動軸が回転可能に設置され、前記従動軸の外周には従動プーリが固定的に設置され、前記従動プーリと前記動力プーリとが第一ベルトによって伝動可能に連結され、前記ロングスライドブロックの左右両側端面にはいずれも支持板が回転可能に設置され、前記支持板と前記従動軸とが固定的に連結され、前記支持板の底端にはマッサージハンドが固定的に設置され、前記マッサージハンドの底部端面には凸起が固定的に設置されている；前記第二電動機の回転を制御することで、第二傘歯車を回転させ、更に第二傘歯車を間欠的に左右両側の第一傘歯車と噛み合わせ、横軸を反対する二つの方向に回転させ、横軸が動力プーリを回転連動させ、従動プーリを回転させ、従動プーリが従動軸を回転連動させ、支持板を揺動させ、支持板がマッサージハンドを揺動連動させ、これによりマッサージハンドに肩を揉ませる。
【０００８】
さらなる技術プラントして、前記第二マッサージ機構は前記第二空チャンバの中に回転可能に設置される第一プーリを含み、前記第一プーリの底部の前記第二空チャンバの中には第二プーリが回転可能に設置され、前記第二プーリの左側端面には第三傘歯車が固定的に設置され、前記第一プーリと前記第二プーリとが第二ベルトによって伝動可能に連結され、前記第二ベルトには二つの押しブロックが同じように設置され、前記第二空チャンバの後側端壁には第三電動機が固定的に設置され、前記第三電動機の前端には第四傘歯車が伝動可能に連結され、前記第四傘歯車と前記第三傘歯車とが噛み合って設置され、前記第二空チャンバの前側端壁の中にはロングスライド板がスライド可能に設置され、前記ロングスライド板の前側端にはゴム玉が固定的に設置され、前記ゴム玉は柔軟材料で作られる；第三電動機の作動を制御することによって、第四傘歯車に第三傘歯車を回転連動させ、第三傘歯車が第二プーリを回転連動させ、更に第一プーリを回転連動させ、押しブロックを順次にロングスライド板を押圧させ、更にゴム玉を前にスライドさせ、使用者の背を揉む。
【０００９】
使用する時、ます背もたれを座席に面ファスナー付きベルトによって装着し、同時に引掛り板を背もたれに引掛け、ネックパッドを背もたれに固定するように帯を支持柱にきつく結び、使用者は背もたれにもたれ、第一電動機の反対する二つの方向への回転を制御することによって、動力軸を回転させ、更に動力傘歯車に従動傘歯車を回転連動させ、更にボルトを回転させ、ボルトがスライドブロックを連動させて下にスライドさせ、横軸を下に移動させ、更にロングスライドブロックとマッサージハンドを下に移動させ、これによりマッサージハンドを第一空チャンバの外まで伸びでさせ、使用者の肩にあたり、この時第二電動機を始動して第二傘歯車を回転させ、更に第二傘歯車を間欠的に左右両側の第一傘歯車と噛み合わせ、横軸を反対する二つの方向に回転させ、横軸が動力プーリを回転連動させ、従動プーリを回転させ、従動プーリが従動軸を回転連動させ、支持板を揺動させ、支持板がマッサージハンドを揺動連動させ、これによりマッサージハンドに肩を揉ませ、第三電動機の作動を制御することによって、第四傘歯車に第三傘歯車を回転連動させ、第三傘歯車が第二プーリを回転連動させ、更に第一プーリを回転連動させ、押しブロックを順次にロングスライド板を押圧させ、更にゴム玉を前にスライドさせ、使用者の背を揉む。
【発明の効果】
【００１０】
本発明の有益効果は：本発明の車用背もたれは第一マッサージ機構と第二マッサージ機構によって使用者の肩と背を揉み、長時間に渡った運転が招いた不快感を解消できる。
【図面の簡単な説明】
【００１１】
【図１】図１は本発明の背もたれの概略図である。
【図２】図２は本発明のマッサージ機能を有する車用背もたれクッションの外観略図である。
【図３】図３は本発明のネックパッドの内部構造略図である。
【図４】図４は本発明のネックパッドの後側の略図である。
【図５】図５は本発明の図４の後側の略図である。
【図６】図６は本発明のマッサージハンドの構造略図である。
【図７】図７は本発明の固定板の構造略図である。
【図８】図８は本発明の背もたれの左側の構造略図である。
【発明を実施するための形態】
【００１２】
以下に図１−８を交えて本発明について詳しく説明し、便利に叙述するため、現在は後文に出る方位を下記の通りに規定する：後文に出る上下左右前後方向は図３本体の投影関係の上下左右前後方向と一致する。
【００１３】
図１−８を参照し、本発明のマッサージ機能を有する車用背もたれクッションは、背もたれ１０とネックパッド１４を含み、前記背もたれ１０の頂端には支持柱１３が固定的に設置され、前記支持柱１３の頂端には枕１１が固定的に設置され、前記背もたれ１０の左右両側には面ファスナー付きベルト１２が固定的に設置され、前記ネットパック１４が前記支持柱１３に装着され、前記ネットパック１４の中には第一空チャンバ２３が設置され、前記第一空チャンバ２３の中には肩を揉める第一マッサージ機構６１が設置され、前記第一空チャンバ２３の底壁には左右に対称的な抜き穴２９が設置され、前記ネックパッド１４の後側には左右に対称的な固定板４２が固定的に設置され、前記固定板４２の底端には引掛り板３９が固定的に設置され、前記引掛り板３９の前側には曲がり溝３８が設置され、前記曲がり溝３８によって使用者のもたれ心地を快適にさせることができ、前記曲がり溝３８が前記背もたれ１０に引掛り、二組の前記固定板４２の間には帯４１が設置され、前記帯４１が前記ベックパッド１０の後端とヒンジで連結され、前記帯４１が前記支持柱１３に締められ、前記背もたれ１０の中には第二空チャンバ４５が設置され、前記第二空チャンバ４５の中には腰や背を揉める第二マッサージ機構６２が設置されている。
【００１４】
前記第一マッサージ機構６１は前記第一空チャンバ２３の頂壁の中に設置される動力チャンバ１５を含み、前記動力チャンバ１５が左右に対称的に二組設置され、二組の前記動力チャンバ１５の間には動力軸２２が回転可能に設置され、前記動力軸２２の右端と右側の前記動力チャンバ１５の右壁の中に固定的に嵌められる第一電動機１８とが伝動可能に連結され、前記動力軸２２の外周には前記動力チャンバ１５の中に位置する動力傘歯車１６が固定的に設置され、前記第一空チャンバ２３の左右両側端壁にはいずれもスライド溝２０が設置され、前記スライド溝２０の中にはスライドブロック２１がスライド可能に設置され、前記スライド溝２０と前記動力チャンバ１５との間にはボルト１９が回転可能に設置され、前記ボルト１９の頂端には前記動力チャンバ１５の中に位置する従動傘歯車１７が固定的に設置され、前記従動傘歯車１７が前記動力傘歯車１６と噛み合って設置され、前記ボルト１９が前記スライドブロック２１を貫通しており且つ前記スライドブロック２１とネジ山によって係合連結され、前記ボルト１９の底端と前記スライド溝２０の底壁とが回転可能に係合連結されている；第一電動機１８の反対する二つの方向への回転を制御することによって、動力軸２２を回転させ、更に動力傘歯車１６に従動傘歯車１７を回転連動させ、更にボルト１９を回転させ、ボルト１９がスライドブロック２１を連動させて上下にスライドさせる。
【００１５】
二組の前記スライドブロック２１の間には横軸２７が回転可能に設置され、前記横軸２７の外周には二組の相互に対称する第一傘歯車２４が固定的に設置され、前記第一空チャンバ２３の底壁の中には第二電動機２８が固定的に嵌められ、前記第二電動機２８の頂端には第二傘歯車２６が伝動可能に連結され、前記第二傘歯車２６と左右両側の前記第一傘歯車２４とが間欠的に噛み合って係合され、前記第一空チャンバ２３の中には二組のロングスライドブロック３０がスライド可能に設置され、前記ロングスライドブロック３０の中には第一ベルトチャンバ３２が設置され、前記横軸２７が前記第一ベルトチャンバ３２を貫通しており、前記横軸２７と前記ロングスライドブロック３０とが回転可能に係合連結され、前記第一ベルトチャンバ３２の中に位置する前記横軸２７の外周には動力プーリ１３が固定的に設置され、前記第一ベルトチャンバ３２の中には従動軸３５が回転可能に設置され、前記従動軸３５の外周には従動プーリ３４が固定的に設置され、前記従動プーリ３４と前記動力プーリ３１とが第一ベルト３３によって伝動可能に連結され、前記ロングスライドブロック３０の左右両側端面にはいずれも支持板３６が回転可能に設置され、前記支持板３６と前記従動軸３５とが固定的に連結され、前記支持板３６の底端にはマッサージハンド３７が固定的に設置され、前記マッサージハンド３７の底部端面には凸起４０が固定的に設置されている；前記第二電動機２８の回転を制御することで、第二傘歯車２６を回転させ、更に第二傘歯車２６を間欠的に左右両側の第一傘歯車２４と噛み合わせ、横軸２７を反対する二つの方向に回転させ、横軸２７が動力プーリ３１を回転連動させ、従動プーリ３４を回転させ、従動プーリ３４が従動軸３５を回転連動させ、支持板３６を揺動させ、支持板３６がマッサージハンド３７を揺動連動させ、これによりマッサージハンド３７に肩を揉ませる。
【００１６】
前記第二マッサージ機構６２は前記第二空チャンバ４５の中に回転可能に設置される第一プーリ４６を含み、前記第一プーリ４６の底部の前記第二空チャンバ４５の中には第二プーリ５２が回転可能に設置され、前記第二プーリ５２の左側端面には第三傘歯車５１が固定的に設置され、前記第一プーリ４６と前記第二プーリ５２とが第二ベルト５３によって伝動可能に連結され、前記第二ベルト５３には二つの押しブロック４７が同じように設置され、前記第二空チャンバ４５の後側端壁には第三電動機４９が固定的に設置され、前記第三電動機４９の前端には第四傘歯車５０が伝動可能に連結され、前記第四傘歯車５０と前記第三傘歯車５１とが噛み合って設置され、前記第二空チャンバ４５の前側端壁の中にはロングスライド板５４がスライド可能に設置され、前記ロングスライド板５４の前側端にはゴム玉５５が固定的に設置され、前記ゴム玉５５は柔軟材料で作られる；第三電動機４９の作動を制御することによって、第四傘歯車５０に第三傘歯車５１を回転連動させ、第三傘歯車５１が第二プーリ５２を回転連動させ、更に第一プーリ４６を回転連動させ、押しブロック４７を順次にロングスライド板５４を押圧させ、更にゴム玉５５を前にスライドさせ、使用者の背を揉む。
【００１７】
使用する時、ます背もたれ１０を座席に面ファスナー付きベルト１２によって装着し、同時に引掛り板３９を背もたれ１０に引掛け、ネックパッド１４を背もたれ１０に固定するように帯４１を支持柱１３にきつく結び、使用者は背もたれ１０にもたれ、第一電動機１８の反対する二つの方向への回転を制御することによって、動力軸２２を回転させ、更に動力傘歯車１６に従動傘歯車１７を回転連動させ、更にボルト１９を回転させ、ボルト１９がスライドブロック２１を連動させて下にスライドさせ、横軸２７を下に移動させ、更にロングスライドブロック３０とマッサージハンド３７を下に移動させ、これによりマッサージハンド３７を第一空チャンバ２３の外まで伸びでさせ、使用者の肩にあたり、この時第二電動機２８を始動して第二傘歯車２６を回転させ、更に第二傘歯車２６を間欠的に左右両側の第一傘歯車２４と噛み合わせ、横軸２７を反対する二つの方向に回転させ、横軸２７が動力プーリ３１を回転連動させ、従動プーリ３４を回転させ、従動プーリ３４が従動軸３５を回転連動させ、支持板３６を揺動させ、支持板３６がマッサージハンド３７を揺動連動させ、これによりマッサージハンド３７に肩を揉ませ、第三電動機４９の作動を制御することによって、第四傘歯車５０に第三傘歯車５１を回転連動させ、第三傘歯車５１が第二プーリ５２を回転連動させ、更に第一プーリ４６を回転連動させ、押しブロック４７を順次にロングスライド板５４を押圧させ、更にゴム玉５５を前にスライドさせ、使用者の背を揉む。
【００１８】
本発明の有益効果は：本発明の車用背もたれは第一マッサージ機構と第二マッサージ機構によって使用者の肩と背を揉み、長時間に渡った運転が招いた不快感を解消できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020171630.tif 000003
【図２】
2020171630.tif 000004
【図３】
2020171630.tif 000005
【図４】
2020171630.tif 000006
【図５】
2020171630.tif 000007
【図６】
2020171630.tif 000008
【図７】
2020171630.tif 000009
【図８】
2020171630.tif 000010
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
背もたれとネックパッドを含み、前記背もたれの頂端には支持柱が固定的に設置され、前記支持柱の頂端には枕が固定的に設置され、前記背もたれの左右両側には面ファスナー付きベルトが固定的に設置され、前記ネックパッドが前記支持柱に装着され、前記ネックパッドの中には第一空チャンバが設置され、前記第一空チャンバの中には肩を揉める第一マッサージ機構が設置され、前記第一空チャンバの底壁には左右に対称的な抜き穴が設置され、前記ネックパッドの後側には左右に対称的な固定板が固定的に設置され、前記固定板の底端には引掛り板が固定的に設置され、前記引掛り板の前側には曲がり溝が設置され、前記曲がり溝によって使用者のもたれ心地を快適にさせることができ、前記曲がり溝が前記背もたれに引掛り、二組の前記固定板の間には帯が設置され、前記帯が前記ネックパッドの後端とヒンジで連結され、前記帯が前記支持柱に締められ、前記背もたれの中には第二空チャンバが設置され、前記第二空チャンバの中には腰や背を揉める第二マッサージ機構が設置され、
前記第一マッサージ機構は前記第一空チャンバの頂壁の中に設置される動力チャンバを含み、前記動力チャンバが左右に対称的に二組設置され、二組の前記動力チャンバの間には動力軸が回転可能に設置され、前記動力軸の右端と右側の前記動力チャンバの右壁の中に固定的に嵌められる第一電動機とが伝動可能に連結され、前記動力軸の外周には前記動力チャンバの中に位置する動力傘歯車が固定的に設置され、前記第一空チャンバの左右両側端壁にはいずれもスライド溝が設置され、前記スライド溝の中にはスライドブロックがスライド可能に設置され、前記スライド溝と前記動力チャンバとの間にはボルトが回転可能に設置され、前記ボルトの頂端には前記動力チャンバの中に位置する従動傘歯車が固定的に設置され、前記従動傘歯車が前記動力傘歯車と噛み合って設置され、前記ボルトが前記スライドブロックを貫通しており且つ前記スライドブロックとネジ山によって係合連結され、前記ボルトの底端と前記スライド溝の底壁とが回転可能に係合連結されている；第一電動機の反対する二つの方向への回転を制御することによって、動力軸を回転させ、更に動力傘歯車に従動傘歯車を回転連動させ、更にボルトを回転させ、ボルトがスライドブロックを連動させて上下にスライドさせ、
二組の前記スライドブロックの間には横軸が回転可能に設置され、前記横軸の外周には二組の相互に対称する第一傘歯車が固定的に設置され、前記第一空チャンバの底壁の中には第二電動機が固定的に嵌められ、前記第二電動機の頂端には第二傘歯車が伝動可能に連結され、前記第二傘歯車と左右両側の前記第一傘歯車とが間欠的に噛み合って係合され、前記第一空チャンバの中には二組のロングスライドブロックがスライド可能に設置され、前記ロングスライドブロックの中には第一ベルトチャンバが設置され、前記横軸が前記第一ベルトチャンバを貫通しており、前記横軸と前記ロングスライドブロックとが回転可能に係合連結され、前記第一ベルトチャンバの中に位置する前記横軸の外周には動力プーリが固定的に設置され、前記第一ベルトチャンバの中には従動軸が回転可能に設置され、前記従動軸の外周には従動プーリが固定的に設置され、前記従動プーリと前記動力プーリとが第一ベルトによって伝動可能に連結され、前記ロングスライドブロックの左右両側端面にはいずれも支持板が回転可能に設置され、前記支持板と前記従動軸とが固定的に連結され、前記支持板の底端にはマッサージハンドが固定的に設置され、前記マッサージハンドの底部端面には凸起が固定的に設置されている；前記第二電動機の回転を制御することで、第二傘歯車を回転させ、更に第二傘歯車を間欠的に左右両側の第一傘歯車と噛み合わせ、横軸を反対する二つの方向に回転させ、横軸が動力プーリを回転連動させ、従動プーリを回転させ、従動プーリが従動軸を回転連動させ、支持板を揺動させ、支持板がマッサージハンドを揺動連動させ、これによりマッサージハンドに肩を揉ませ、
前記第二マッサージ機構は前記第二空チャンバの中に回転可能に設置される第一プーリを含み、前記第一プーリの底部の前記第二空チャンバの中には第二プーリが回転可能に設置され、前記第二プーリの左側端面には第三傘歯車が固定的に設置され、前記第一プーリと前記第二プーリとが第二ベルトによって伝動可能に連結され、前記第二ベルトには二つの押しブロックが同じように設置され、前記第二空チャンバの後側端壁には第三電動機が固定的に設置され、前記第三電動機の前端には第四傘歯車が伝動可能に連結され、前記第四傘歯車と前記第三傘歯車とが噛み合って設置され、前記第二空チャンバの前側端壁の中にはロングスライド板がスライド可能に設置され、前記ロングスライド板の前側端にはゴム玉が固定的に設置され、前記ゴム玉は柔軟材料で作られる；第三電動機の作動を制御することによって、第四傘歯車に第三傘歯車を回転連動させ、第三傘歯車が第二プーリを回転連動させ、更に第一プーリを回転連動させ、押しブロックを順次にロングスライド板を押圧させ、更にゴム玉を前にスライドさせ、使用者の背を揉むことを特徴とするマッサージ機能を有する車用背もたれクッション。
【手続補正２】
【補正対象書類名】明細書
【補正対象項目名】全文
【補正方法】変更
【補正の内容】
【発明の詳細な説明】
【技術分野】
【０００１】
本発明はクッション技術分野に関し、具体的にはマッサージ機能を有する車用背もたれクッションである。
【背景技術】
【０００２】
運転手は長時間で運転すると、疲労感が生じ、腰や肩に痛みを感じ、運転に影響を及ぼし、そのため、マッサージ機能を有する車用背もたれクッションを設計して運転手の疲労を解消することが実に必要である。
【先行技術文献】
【特許文献】
【０００３】
【特許文献１】中国特許出願公開第１０９４２１５７２号明細書
【発明の概要】
【発明が解決しようとする課題】
【０００４】
本発明の目的はマッサージ機能を有する車用背もたれクッションを提供し、既存の技術にある上記の欠陥を補うことにある。
【課題を解決するための手段】
【０００５】
本発明のマッサージ機能を有する車用背もたれクッションは、背もたれとネックパッドを含み、前記背もたれの頂端には支持柱が固定的に設置され、前記支持柱の頂端には枕が固定的に設置され、前記背もたれの左右両側には面ファスナー付きベルトが固定的に設置され、前記ネックパッドが前記支持柱に装着され、前記ネックパッドの中には第一空チャンバが設置され、前記第一空チャンバの中には肩を揉める第一マッサージ機構が設置され、前記第一空チャンバの底壁には左右に対称的な抜き穴が設置され、前記ネックパッドの後側には左右に対称的な固定板が固定的に設置され、前記固定板の底端には引掛り板が固定的に設置され、前記引掛り板の前側には曲がり溝が設置され、前記曲がり溝によって使用者のもたれ心地を快適にさせることができ、前記曲がり溝が前記背もたれに引掛り、二組の前記固定板の間には帯が設置され、前記帯が前記ネックパッドの後端とヒンジで連結され、前記帯が前記支持柱に締められ、前記背もたれの中には第二空チャンバが設置され、前記第二空チャンバの中には腰や背を揉める第二マッサージ機構が設置されている。
【０００６】
さらなる技術プラントして、前記第一マッサージ機構は前記第一空チャンバの頂壁の中に設置される動力チャンバを含み、前記動力チャンバが左右に対称的に二組設置され、二組の前記動力チャンバの間には動力軸が回転可能に設置され、前記動力軸の右端と右側の前記動力チャンバの右壁の中に固定的に嵌められる第一電動機とが伝動可能に連結され、前記動力軸の外周には前記動力チャンバの中に位置する動力傘歯車が固定的に設置され、前記第一空チャンバの左右両側端壁にはいずれもスライド溝が設置され、前記スライド溝の中にはスライドブロックがスライド可能に設置され、前記スライド溝と前記動力チャンバとの間にはボルトが回転可能に設置され、前記ボルトの頂端には前記動力チャンバの中に位置する従動傘歯車が固定的に設置され、前記従動傘歯車が前記動力傘歯車と噛み合って設置され、前記ボルトが前記スライドブロックを貫通しており且つ前記スライドブロックとネジ山によって係合連結され、前記ボルトの底端と前記スライド溝の底壁とが回転可能に係合連結されている；第一電動機の反対する二つの方向への回転を制御することによって、動力軸を回転させ、更に動力傘歯車に従動傘歯車を回転連動させ、更にボルトを回転させ、ボルトがスライドブロックを連動させて上下にスライドさせる。
【０００７】
さらなる技術プラントして、二組の前記スライドブロックの間には横軸が回転可能に設置され、前記横軸の外周には二組の相互に対称する第一傘歯車が固定的に設置され、前記第一空チャンバの底壁の中には第二電動機が固定的に嵌められ、前記第二電動機の頂端には第二傘歯車が伝動可能に連結され、前記第二傘歯車と左右両側の前記第一傘歯車とが間欠的に噛み合って係合され、前記第一空チャンバの中には二組のロングスライドブロックがスライド可能に設置され、前記ロングスライドブロックの中には第一ベルトチャンバが設置され、前記横軸が前記第一ベルトチャンバを貫通しており、前記横軸と前記ロングスライドブロックとが回転可能に係合連結され、前記第一ベルトチャンバの中に位置する前記横軸の外周には動力プーリが固定的に設置され、前記第一ベルトチャンバの中には従動軸が回転可能に設置され、前記従動軸の外周には従動プーリが固定的に設置され、前記従動プーリと前記動力プーリとが第一ベルトによって伝動可能に連結され、前記ロングスライドブロックの左右両側端面にはいずれも支持板が回転可能に設置され、前記支持板と前記従動軸とが固定的に連結され、前記支持板の底端にはマッサージハンドが固定的に設置され、前記マッサージハンドの底部端面には凸起が固定的に設置されている；前記第二電動機の回転を制御することで、第二傘歯車を回転させ、更に第二傘歯車を間欠的に左右両側の第一傘歯車と噛み合わせ、横軸を反対する二つの方向に回転させ、横軸が動力プーリを回転連動させ、従動プーリを回転させ、従動プーリが従動軸を回転連動させ、支持板を揺動させ、支持板がマッサージハンドを揺動連動させ、これによりマッサージハンドに肩を揉ませる。
【０００８】
さらなる技術プラントして、前記第二マッサージ機構は前記第二空チャンバの中に回転可能に設置される第一プーリを含み、前記第一プーリの底部の前記第二空チャンバの中には第二プーリが回転可能に設置され、前記第二プーリの左側端面には第三傘歯車が固定的に設置され、前記第一プーリと前記第二プーリとが第二ベルトによって伝動可能に連結され、前記第二ベルトには二つの押しブロックが同じように設置され、前記第二空チャンバの後側端壁には第三電動機が固定的に設置され、前記第三電動機の前端には第四傘歯車が伝動可能に連結され、前記第四傘歯車と前記第三傘歯車とが噛み合って設置され、前記第二空チャンバの前側端壁の中にはロングスライド板がスライド可能に設置され、前記ロングスライド板の前側端にはゴム玉が固定的に設置され、前記ゴム玉は柔軟材料で作られる；第三電動機の作動を制御することによって、第四傘歯車に第三傘歯車を回転連動させ、第三傘歯車が第二プーリを回転連動させ、更に第一プーリを回転連動させ、押しブロックを順次にロングスライド板を押圧させ、更にゴム玉を前にスライドさせ、使用者の背を揉む。
【０００９】
使用する時、ます背もたれを座席に面ファスナー付きベルトによって装着し、同時に引掛り板を背もたれに引掛け、ネックパッドを背もたれに固定するように帯を支持柱にきつく結び、使用者は背もたれにもたれ、第一電動機の反対する二つの方向への回転を制御することによって、動力軸を回転させ、更に動力傘歯車に従動傘歯車を回転連動させ、更にボルトを回転させ、ボルトがスライドブロックを連動させて下にスライドさせ、横軸を下に移動させ、更にロングスライドブロックとマッサージハンドを下に移動させ、これによりマッサージハンドを第一空チャンバの外まで伸びでさせ、使用者の肩にあたり、この時第二電動機を始動して第二傘歯車を回転させ、更に第二傘歯車を間欠的に左右両側の第一傘歯車と噛み合わせ、横軸を反対する二つの方向に回転させ、横軸が動力プーリを回転連動させ、従動プーリを回転させ、従動プーリが従動軸を回転連動させ、支持板を揺動させ、支持板がマッサージハンドを揺動連動させ、これによりマッサージハンドに肩を揉ませ、第三電動機の作動を制御することによって、第四傘歯車に第三傘歯車を回転連動させ、第三傘歯車が第二プーリを回転連動させ、更に第一プーリを回転連動させ、押しブロックを順次にロングスライド板を押圧させ、更にゴム玉を前にスライドさせ、使用者の背を揉む。
【発明の効果】
【００１０】
本発明の有益効果は：本発明の車用背もたれは第一マッサージ機構と第二マッサージ機構によって使用者の肩と背を揉み、長時間に渡った運転が招いた不快感を解消できる。
【図面の簡単な説明】
【００１１】
【図１】図１は本発明の背もたれの概略図である。
【図２】図２は本発明のマッサージ機能を有する車用背もたれクッションの外観略図である。
【図３】図３は本発明のネックパッドの内部構造略図である。
【図４】図４は本発明のネックパッドの後側の略図である。
【図５】図５は本発明の図４の後側の略図である。
【図６】図６は本発明のマッサージハンドの構造略図である。
【図７】図７は本発明の固定板の構造略図である。
【図８】図８は本発明の背もたれの左側の構造略図である。
【発明を実施するための形態】
【００１２】
以下に図１−８を交えて本発明について詳しく説明し、便利に叙述するため、現在は後文に出る方位を下記の通りに規定する：後文に出る上下左右前後方向は図３本体の投影関係の上下左右前後方向と一致する。
【００１３】
図１−８を参照し、本発明のマッサージ機能を有する車用背もたれクッションは、背もたれ１０とネックパッド１４を含み、前記背もたれ１０の頂端には支持柱１３が固定的に設置され、前記支持柱１３の頂端には枕１１が固定的に設置され、前記背もたれ１０の左右両側には面ファスナー付きベルト１２が固定的に設置され、前記ネックパッド１４が前記支持柱１３に装着され、前記ネックパッド１４の中には第一空チャンバ２３が設置され、前記第一空チャンバ２３の中には肩を揉める第一マッサージ機構６１が設置され、前記第一空チャンバ２３の底壁には左右に対称的な抜き穴２９が設置され、前記ネックパッド１４の後側には左右に対称的な固定板４２が固定的に設置され、前記固定板４２の底端には引掛り板３９が固定的に設置され、前記引掛り板３９の前側には曲がり溝３８が設置され、前記曲がり溝３８によって使用者のもたれ心地を快適にさせることができ、前記曲がり溝３８が前記背もたれ１０に引掛り、二組の前記固定板４２の間には帯４１が設置され、前記帯４１が前記ネックパッド１４の後端とヒンジで連結され、前記帯４１が前記支持柱１３に締められ、前記背もたれ１０の中には第二空チャンバ４５が設置され、前記第二空チャンバ４５の中には腰や背を揉める第二マッサージ機構６２が設置されている。
【００１４】
前記第一マッサージ機構６１は前記第一空チャンバ２３の頂壁の中に設置される動力チャンバ１５を含み、前記動力チャンバ１５が左右に対称的に二組設置され、二組の前記動力チャンバ１５の間には動力軸２２が回転可能に設置され、前記動力軸２２の右端と右側の前記動力チャンバ１５の右壁の中に固定的に嵌められる第一電動機１８とが伝動可能に連結され、前記動力軸２２の外周には前記動力チャンバ１５の中に位置する動力傘歯車１６が固定的に設置され、前記第一空チャンバ２３の左右両側端壁にはいずれもスライド溝２０が設置され、前記スライド溝２０の中にはスライドブロック２１がスライド可能に設置され、前記スライド溝２０と前記動力チャンバ１５との間にはボルト１９が回転可能に設置され、前記ボルト１９の頂端には前記動力チャンバ１５の中に位置する従動傘歯車１７が固定的に設置され、前記従動傘歯車１７が前記動力傘歯車１６と噛み合って設置され、前記ボルト１９が前記スライドブロック２１を貫通しており且つ前記スライドブロック２１とネジ山によって係合連結され、前記ボルト１９の底端と前記スライド溝２０の底壁とが回転可能に係合連結されている；第一電動機１８の反対する二つの方向への回転を制御することによって、動力軸２２を回転させ、更に動力傘歯車１６に従動傘歯車１７を回転連動させ、更にボルト１９を回転させ、ボルト１９がスライドブロック２１を連動させて上下にスライドさせる。
【００１５】
二組の前記スライドブロック２１の間には横軸２７が回転可能に設置され、前記横軸２７の外周には二組の相互に対称する第一傘歯車２４が固定的に設置され、前記第一空チャンバ２３の底壁の中には第二電動機２８が固定的に嵌められ、前記第二電動機２８の頂端には第二傘歯車２６が伝動可能に連結され、前記第二傘歯車２６と左右両側の前記第一傘歯車２４とが間欠的に噛み合って係合され、前記第一空チャンバ２３の中には二組のロングスライドブロック３０がスライド可能に設置され、前記ロングスライドブロック３０の中には第一ベルトチャンバ３２が設置され、前記横軸２７が前記第一ベルトチャンバ３２を貫通しており、前記横軸２７と前記ロングスライドブロック３０とが回転可能に係合連結され、前記第一ベルトチャンバ３２の中に位置する前記横軸２７の外周には動力プーリ１３が固定的に設置され、前記第一ベルトチャンバ３２の中には従動軸３５が回転可能に設置され、前記従動軸３５の外周には従動プーリ３４が固定的に設置され、前記従動プーリ３４と前記動力プーリ３１とが第一ベルト３３によって伝動可能に連結され、前記ロングスライドブロック３０の左右両側端面にはいずれも支持板３６が回転可能に設置され、前記支持板３６と前記従動軸３５とが固定的に連結され、前記支持板３６の底端にはマッサージハンド３７が固定的に設置され、前記マッサージハンド３７の底部端面には凸起４０が固定的に設置されている；前記第二電動機２８の回転を制御することで、第二傘歯車２６を回転させ、更に第二傘歯車２６を間欠的に左右両側の第一傘歯車２４と噛み合わせ、横軸２７を反対する二つの方向に回転させ、横軸２７が動力プーリ３１を回転連動させ、従動プーリ３４を回転させ、従動プーリ３４が従動軸３５を回転連動させ、支持板３６を揺動させ、支持板３６がマッサージハンド３７を揺動連動させ、これによりマッサージハンド３７に肩を揉ませる。
【００１６】
前記第二マッサージ機構６２は前記第二空チャンバ４５の中に回転可能に設置される第一プーリ４６を含み、前記第一プーリ４６の底部の前記第二空チャンバ４５の中には第二プーリ５２が回転可能に設置され、前記第二プーリ５２の左側端面には第三傘歯車５１が固定的に設置され、前記第一プーリ４６と前記第二プーリ５２とが第二ベルト５３によって伝動可能に連結され、前記第二ベルト５３には二つの押しブロック４７が同じように設置され、前記第二空チャンバ４５の後側端壁には第三電動機４９が固定的に設置され、前記第三電動機４９の前端には第四傘歯車５０が伝動可能に連結され、前記第四傘歯車５０と前記第三傘歯車５１とが噛み合って設置され、前記第二空チャンバ４５の前側端壁の中にはロングスライド板５４がスライド可能に設置され、前記ロングスライド板５４の前側端にはゴム玉５５が固定的に設置され、前記ゴム玉５５は柔軟材料で作られる；第三電動機４９の作動を制御することによって、第四傘歯車５０に第三傘歯車５１を回転連動させ、第三傘歯車５１が第二プーリ５２を回転連動させ、更に第一プーリ４６を回転連動させ、押しブロック４７を順次にロングスライド板５４を押圧させ、更にゴム玉５５を前にスライドさせ、使用者の背を揉む。
【００１７】
使用する時、ます背もたれ１０を座席に面ファスナー付きベルト１２によって装着し、同時に引掛り板３９を背もたれ１０に引掛け、ネックパッド１４を背もたれ１０に固定するように帯４１を支持柱１３にきつく結び、使用者は背もたれ１０にもたれ、第一電動機１８の反対する二つの方向への回転を制御することによって、動力軸２２を回転させ、更に動力傘歯車１６に従動傘歯車１７を回転連動させ、更にボルト１９を回転させ、ボルト１９がスライドブロック２１を連動させて下にスライドさせ、横軸２７を下に移動させ、更にロングスライドブロック３０とマッサージハンド３７を下に移動させ、これによりマッサージハンド３７を第一空チャンバ２３の外まで伸びでさせ、使用者の肩にあたり、この時第二電動機２８を始動して第二傘歯車２６を回転させ、更に第二傘歯車２６を間欠的に左右両側の第一傘歯車２４と噛み合わせ、横軸２７を反対する二つの方向に回転させ、横軸２７が動力プーリ３１を回転連動させ、従動プーリ３４を回転させ、従動プーリ３４が従動軸３５を回転連動させ、支持板３６を揺動させ、支持板３６がマッサージハンド３７を揺動連動させ、これによりマッサージハンド３７に肩を揉ませ、第三電動機４９の作動を制御することによって、第四傘歯車５０に第三傘歯車５１を回転連動させ、第三傘歯車５１が第二プーリ５２を回転連動させ、更に第一プーリ４６を回転連動させ、押しブロック４７を順次にロングスライド板５４を押圧させ、更にゴム玉５５を前にスライドさせ、使用者の背を揉む。
【００１８】
本発明の有益効果は：本発明の車用背もたれは第一マッサージ機構と第二マッサージ機構によって使用者の肩と背を揉み、長時間に渡った運転が招いた不快感を解消できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。